(57)【特許請求の範囲】
【請求項１】
第１流体が流入される第１流入路を第１流路及び第２流路に分ける第１分岐部、第２流体が流入される第２流入路を第３流路及び第４流路に分ける第２分岐部、上記第１流路及び第３流路に連通されこれら第１流路及び第３流路から受入れた流体を混合して第１流出路に流出させ得るように設けられた第１弁座部、並びに上記第２流路及び第４流路に連通されこれら第２流路及び第４流路から受入れた流体を混合して第２流出路に流出させ得るように設けられた第２弁座部を有するハウジング部材と、上記第１弁座部に設けられた第１混合弁と、上記第２弁座部に設けられた第２混合弁とを備えた混合弁装置であって、
上記第１流入路及び上記第２流入路は、同一中心軸上に対向して設けられ、
上記第１分岐部及び上記第２分岐部は、上記第１流入路及び上記第２流入路と平行に設けられた一つの仕切部材で構成されていることを特徴とする混合弁装置。
【請求項２】
上記第１流入路、上記第２流入路、上記第１流出路及び上記第２流出路の配管径は、同等であることを特徴とする請求項１に記載の混合弁装置。
【請求項３】
上記第１流路と上記第２流路、及び上記第３流路と上記第４流路は、上記仕切部材によって区分されていることを特徴とする請求項１または請求項２に記載の混合弁装置。
【請求項４】
上記仕切部材の一端部及び他端部は流線形状に形成されていることを特徴とする請求項１から請求項３のいずれか１項に記載の混合弁装置。
【請求項５】
上記第１流出路及び上記第２流出路は、上記中心軸に対して直交する方向に互いに平行に対称的に設けられていることを特徴とする請求項１から請求項４のいずれか１項に記載の混合弁装置。
【請求項６】
上記第１混合弁及び上記第２混合弁は、いずれも回動角度に応じて上記第１流体及び上記第２流体を任意の割合で混合し得ると共に、上記第１流体及び上記第２流体の双方に対して閉止し得るものであることを特徴とする請求項１から請求項５のいずれか１項に記載の混合弁装置。
【請求項７】
上記第１混合弁及び上記第２混合弁は、いずれもステッピングモータにより駆動されるものであることを特徴とする請求項１から請求項６のいずれか１項に記載の混合弁装置。
【請求項８】
水を加熱昇温する加熱手段を有し、水源圧力を所望圧力に設定する減圧弁と、沸き上げた温水を貯める貯湯タンクと、温水を流路の開閉により給湯する電磁弁と、沸き上げ時に体積膨張した水を排出するための逃がし弁とを備え、前記電磁弁が、上記請求項１から請求項７のいずれか１項に記載の混合弁装置に接続されていることを特徴とする給湯機。
【発明の詳細な説明】
【技術分野】
【０００１】
この発明は、例えばリモコン等により外部から設定された所望温度の温水を安定して給湯するための湯水混合弁などとして好ましく用いることができる混合弁装置及びその混合弁装置を用いた給湯機に関する。
【背景技術】
【０００２】
従来の混合弁として、出湯管の端部に連続してシリンダ状に形成された混合室内に、軸線周りに回転自在に筒状の可動弁が嵌装され、給水管と給湯管は、混合室の側面に互いの位置をずらして、給湯管を出湯管寄りに位置させて接続されているものがある。給水管から混合室への水側開口の形状は軸線と平行方向の細いスリット状であり、給湯管から混合室への湯側開口は幅のある長方形状に形成されている。可動弁の周壁には、回転位置によって水側開口及び湯側開口と対向する位置に横向きの二等辺三角形状の水側流調孔と長方形状の孔から両側方に先細りのスリットが突出形成された形状の湯側流調孔とが穿設されている。水側流調孔と湯側流調孔が形成された可動弁から外部に突出した軸部は、モータアクチュエータに連結されていて、可動弁の回転方向の位置制御が行われる。可動弁の周壁に設けられた水側流調孔と湯側流調孔は可動弁の回動によりそれぞれの流路面積が変化し、これにより水側開口から水側流調孔を通り供給される水の流量と、湯側開口から湯側流調孔を通り供給される湯の流量が変化することにより、出湯管から供給される湯の温度ならびに流量が変化する。
【０００３】
【特許文献１】特開２０００−１７９７１５号公報（第２頁、図１、図２）
【発明の開示】
【発明が解決しようとする課題】
【０００４】
近年、給湯機の高機能化により温度設定値が異なる湯を風呂と台所あるいは洗面所の蛇口といった異なる配管系へ同時に給湯する機種が主流となっている。設定温度が異なるお湯を同時に複数箇所へ給湯するためには、給湯機に温度調節の機能を有する湯水混合弁を複数個搭載することになる。給湯機に複数の湯水混合弁を搭載する際、それぞれの湯水混合弁への給湯、給水流路について、配管径や配管長、配管の曲がりの数などが異なり通水経路に非対称性が存在すると、流体圧力のアンバランスが生じ特定の通水経路に対して水もしくは湯が流れ易くなり、温度制御が不安定になる。上記のような従来の混合弁を用いた場合、それぞれの混合弁への給水、給湯経路に対称性をもたせるという設計上の制約が発生するが、実際には設置スペースの問題で、完全対称となる部品レイアウトを実現することは困難であり、極力このような部品レイアウトを実現するにしても、新たな追加部品が必要となるなど、製造コストを上昇させる要因になるという課題があった。
【０００５】
この発明は上記のような従来技術の課題を解消するためになされたもので、複数の給湯箇所に給湯しても流体圧力のアンバランスを抑制して、温度制御を安定して行なうことができ、しかも省スペースで追加部品も不要な混合弁を得ることを目的としている。
【課題を解決するための手段】
【０００６】
この発明に係る混合弁装置は、第１流体が流入される第１流入路を第１流路及び第２流路に分ける第１分岐部、第２流体が流入される第２流入路を第３流路及び第４流路に分ける第２分岐部、上記第１流路及び第３流路に連通されこれら第１流路及び第３流路から受入れた流体を混合して第１流出路に流出させ得るように設けられた第１弁座部、並びに上記第２流路及び第４流路に連通されこれら第２及び第４流路から受入れた流体を混合して第２流出路に流出させ得るように設けられた第２弁座部を有するハウジング部材と、上記第１弁座部に設けられた第１混合弁と、上記第２弁座部に設けられた第２混合弁とを備えたものであり、第１流入路及び第２流入路は、同一中心軸上に対向して設けられ、第１分岐部及び第２分岐部は、第１流入路及び第２流入路と平行に設けられた一つの仕切部材で構成されたものである。
【発明の効果】
【０００７】
この発明によれば、第１弁座部と第１混合弁、及び第２弁座部と第２混合弁からなる２個の弁に対して、第１流体及び第２流体の流入路、ならびに第１流出路及び第２流出路を対称的に構成することができるので、２個の弁のバランスが良好となり、例えば複数箇所へ同時給湯を行なうときの温度制御の不安定性が解消され、部品配置の設計自由度が向上する。また、簡便な配管構成により一体化されていることにより追加部品も不要にできるのでコストの上昇を抑制することができる。
【発明を実施するための最良の形態】
【０００８】
実施の形態１．
図１〜図４は本発明の実施の形態１に係る混合弁装置を説明するもので、図１は斜視図、図２は図１に示されたハウジング部材を示す斜視図、図３は図１に示された混合弁装置を構成する混合弁を示す斜視図、図４は図１に示された流入口の中心軸を含む面で図の水平方向に切断したときの図の下側から見た流路構成と弁座部及び混合弁の概要構造を示す断面図（図５のＩＶ−ＩＶ線における矢視断面図に相当）、図５は図４に示された弁座部と該弁座部に配設された混合弁の周辺部の詳細を示す断面図（図４のＶ−Ｖ線における矢視断面図に相当）、図６〜図７は動作を説明する図である。なお、各図を通じて同一符号は同一または相当部分を示している。図において、混合弁装置１は、この例では１本の円筒に対しその中心軸の両外側に２本の円筒を上記中心軸方向に位置をずらして配設し、かつ該中心軸方向に直交する方向に互いに平行に結合させた如き外観を呈しているハウジング部材２と、その内部に設けられた２つの混合弁７（第１混合弁７Ａ、第２混合弁７Ｂ）と、第１及び第２混合弁７Ａ、７Ｂを互いに独立して駆動し得るステッピングモータを用いた２つの駆動装置９から構成されている。
【０００９】
上記ハウジング部材２は、第１流入路３Ａに例えば水道水などの第１流体を流入する第１流入口２１、第１流入路３Ａに連通されている第２流入路３Ｂに例えば高温水などの第２流体を流入する第２流入口２２、上記第１流入路３Ａに設けられ該第１流入路３Ａを第１流路３１及び第２流路３２に分ける第１分岐部４１、上記第２流入路３Ｂに設けられ該第２流入路３Ｂを上記第１流路３１に連通する第３流路３３及び上記第２流路３２に連通する第４流路３４に分ける第２分岐部４２、上記第１流路３１及び第３流路３３に連通されこれら第１流路３１及び第３流路３３から受入れた流体を混合して第１流出路６Ａに流出させ得るように設けられた第１弁座部５１、上記第２流路３２及び第４流路３４に連通されこれら第２流路３２及び第４流路３４から受入れた流体を混合して第２流出路６Ｂに流出させ得るように設けられた第２弁座部５２、第１流出路６Ａの端部に設けられた第１流出口２３、第２流出路６Ｂの端部に設けられた第２流出口２４、各駆動装置９に対する接続部２５、２６などが設けられており、金属鋳物、あるいは樹脂の射出成形等で一体的に形成されている。なお、第１流入口２１から第２流入口２２までの長さ、及び第１分岐部４１から第２分岐部４２までの長さは任意であり、これらは例えば使用する給湯機の部品レイアウトのスペースや分流特性等により決定される設計事項である。
【００１０】
上記第１流入路３Ａ及び第２流入路３Ｂは共通の円筒状体の内部に形成され、第１流入口２１及び第２流入口２２と共に略同一中心軸上に形成されている。上記第１流出路６Ａ及び第２流出路６Ｂは上記第１流入路３Ａ及び第２流入路３Ｂの中心軸とは直交する方向に形成され、該中心軸方向に位置をずらし、かつ該中心軸の両側部に上記円筒状体の略半径分程度両外側にずらして対称的に設けられている。また、上記第１分岐部４１及び第２分岐部４２は、上記円筒状体によって形成されている第１流入路３Ａ及び第２流入路３Ｂを独立した複数（この例では約２等分）の流路に分ける一続きの板状の仕切部材４の一端部及び他端部を用いて構成され、何れも流路上流側の先端部が流線形に形成されている。なお、仕切部材４はハウジング部材２と一体で構成されていることが望ましい。
【００１１】
また、第１弁座部５１は円筒状に形成され、図４の左側に第１流路３１に連通する開口部５１ａ、右側に第３流路３３に連通する開口部５１ｂが設けられ、これら開口部５１ａ、５１ｂからそれぞれ第１流体または第２流体が流入される。また、第２弁座部５２は第１弁座部５１と互いに線対称に形成され、図４の左側に第２流路３２に連通する開口部５２ａ、右側に第４流路３４に連通する開口部５２ｂが設けられ、これら開口部５２ａ、５２ｂからそれぞれ同様に第１流体または第２流体が流入される。なお、この例では、第１流路３１は開口部５１ａと略同一部分に形成され、第４流路３４は開口部５２ｂと略同一部分に形成されている。
【００１２】
第１混合弁７Ａと第２混合弁７Ｂは全く同一に構成されており、以下区別の必要がある場合を除いて単に混合弁７という。混合弁７はハウジング部材２と同様に金属鋳物、あるいは樹脂の射出成形等で形成され、図３に示すように円筒状の弁体７１と、該弁体７１を回動させるための上方に突出形成された軸部７２からなる。弁体７１の周壁部における開口部５１ａ、５１ｂ、または開口部５２ａ、５２ｂと対向する部分には第１流体または第２流体を通流するための開口７１ａが設けられ、下端部には開口７１ａから流入した流体を第１または第２流出路６Ａ、６Ｂに通流するための流出口７１ｂが設けられている。開口７１ａは周方向の中心部で最大開口面積となり周方向両端部に行くにつれて開口面積が減少するような形状を有する。該混合弁７は第１または第２弁座部５１、５２の内部に外周面が接するか、わずかな隙間を有して回動可能に嵌合される。なお、開口７１ａの付近では流路断面積が第１流入口２１及び第２流入口２２の概ね半分となる。
【００１３】
混合弁７の軸部７２はハウジング部材２の上部に設けられた接続部２５、２６から外部に突出し、図１に示す駆動装置９と係合され、これにより回動される。軸部７２は、図５に示すように接続部２５、２６とスペーサ８１を介してパッキング８２及び８３により水密状態が保たれる。スペーサ８１はネジ８４によって接続部２５、２６に取り付けられた蓋体８５により挟まれ、漏水することがないよう構成されている。なお、第１または第２弁座部５１、５２の内側上面及びスペーサ８１の下面と弁体７１の軸方向の当接部には、ポリアセタールやフッ素系樹脂をはじめとする摺動性に優れた材質で形成されたリング状の潤滑部材８６及び８７が配置され、混合弁７の回動をスムーズにさせている。また、第１流入口２１、第２流入口２２、第１流出口２３、及び第２流出口２４の外周部には、図示していない他の配管と接続するためにフランジ状に形成されている。
【００１４】
次に、上記のように構成された実施の形態１の動作について、図６〜図７を参照して説明する。なお、一例として混合弁装置１は湯水混合弁として用いられ、第１流入口２１には第１流体としての水道水が供給され、第２流入口２２には第２流体としての給湯機からの高温水が供給され、第１流出口２３は風呂場の蛇口やシャワーへの給湯配管、第２流出口２４は台所や洗面所の蛇口への給湯配管に接続されているものとする。先ず、図６（ａ）の状態では、第１混合弁７Ａ、及び第２混合弁７Ｂは、第２流体が流入される第２流入口２２側に対して何れも閉成状態にあり、第１流体が流入する第１流入口２１側に対して何れも開成状態となっているため、第１流出口２３及び第２流出口２４からは第１流体（水道水）のみが流出される。
【００１５】
図６（ｂ）は、図６（ａ）の状態から第１混合弁７Ａのみが反時計まわりに約４５°回動し、分岐された第１流路３１と第１混合弁７Ａの開口７１ａにより形成される流入路と、分岐された第３流路３３と第１混合弁７Ａの開口７１ａにより形成される流入路の面積が略等しい状態を示したものである。この状態では、第１流出口２３から、第１流体と第２流体が略等しい流量で混合された中間温度の混合流体が流出する。一方、第２混合弁７Ｂについては、図６と同一状態のままであるので、第２流出口２４からは第１流体（水道水）のみが流出する。
図６（ｃ）は、図６（ｂ）の状態から第１混合弁７Ａのみがさらに反時計まわりに約４５°回動し、第１流路３１の流入口（開口部５１ａ）と第１混合弁７Ａの開口７１ａにより形成される流路が閉ざされ、第３流路３３の流入口（開口部５１ｂ）と第１混合弁７Ａの開口７１ａにより形成される流路が略全開の状態を示したものである。この状態では、第１流出口２３からは、第２流体のみが流出することになるので高温水が風呂に給湯される。例えば実際の運転モードにおける高温差し湯の状態に相当する。一方、第２混合弁７Ｂについては、図６（ａ）の状態のままであるので、第２流出口２４からは第１流体のみが流出する。
【００１６】
このように、第１混合弁７Ａの回動によって、第１流出口２３から流出する混合流体の流量に占める第１流体と第２流体の流量比を変化させることができる。なお、ここでは第１混合弁７Ａの代表的な回動位置における動作を示したが、混合弁７はステッピングモータを用いた駆動装置９により図示省略している制御回路によって所望の任意の角度に回動し得るものであり、回動角度に応じて、第１流体と第２流体の流入流量比を連続的に変化させることができるため、第１流出口２３から流出する混合流体の温度は、第１流体の温度から第２流体の温度まで連続的に変化させることができる。
【００１７】
図７（ａ）は、図６（ａ）の状態から第２混合弁７Ｂのみが図の時計まわりに約４５°回動し、分岐された第２流路３２に対する開口部５２ａと第２混合弁７Ｂの開口７１ａとにより形成される流路と、分岐された第４流路３４に対する開口部５２ｂと第２混合弁７Ｂの開口７１ａとにより形成される流路の面積が略等しい状態を示したものである。この状態では、第２流出口２４から、第１流体と第２流体が略等しい流量で混合された中間温度の混合流体が流出する。一方、第１混合弁７Ａについては、図６（ａ）の状態のままであるので、第１流出口２３からは第１流体のみが流出する。
【００１８】
図７（ｂ）は、図７（ａ）の状態から第１混合弁７Ａのみが反時計まわりに約４５°回動し、第１流路３１に対する開口部５１ａと第１混合弁７Ａの開口７１ａにより形成される流路と、第３流路３３に対する開口部５１ｂと第１混合弁７Ａの開口７１ａにより形成される流路の面積が略等しい状態を示したものである。この状態では、第１流出口２３から、第１流体と第２流体が略等しい流量で混合された中間温度の混合流体が流出する。一方、第２混合弁７Ｂについては、図７（ａ）の状態のままであるので、第１流体と第２流体が略等しい流量で混合された中間温度の混合流体が流出する。即ち、何れの流出口からも第１流体と第２流体の中間温度の湯が給湯される状態である。
【００１９】
図７（ｃ）は、図７（ｂ）の状態から第１混合弁７Ａのみがさらに反時計まわりに約４５°回動し、第１流路３１に対する流路が閉成され、第３流路３３に対する流路が略全開の状態を示したものである。この状態では、第１流出口２３からは、第２流体のみが流出することになるので高温水が風呂に給湯される。一方、第２混合弁７Ｂについては、図７（ｂ）の状態のままであるので、第２流出口２４からは第１流体と第２流体が略等しい流量で混合された中間温度の混合流体が流出する。
図７（ｄ）は、図７（ａ）の状態から第２混合弁７Ｂのみが時計まわりにさらに約４５°回動し、第２流路３２に対する流路が閉成され、第４流路３４に対する流路が略全開の状態を示したものである。この状態では、第２流出口２４からは第２流体のみが流出する。一方、第１混合弁７Ａについては、図７（ａ）の状態のままであるので、第１流出口２３からは第１流体のみが流出する。
【００２０】
図７（ｅ）は、図７（ｄ）の状態から第１混合弁７Ａのみが反時計まわりに約４５°回動し、第１流路３１に対する流路と、第３流路３３に対する流路の面積が略等しい状態を示したものである。この状態では、第１流出口２３から、第１流体と第２流体が略等しい流量で混合された中間温度の混合流体が流出する。一方、第２混合弁７Ｂについては、図７（ｄ）の状態のままであるので、第２流出口２４からは第２流体のみが流出する。
図７（ｆ）は、図７（ｅ）の状態から第１混合弁７Ａのみがさらに反時計まわりに約４５°回動し、第１流路３１に対する流路が閉成され、第３流路３３に対する流路が略全開の状態を示したものである。この状態では、第１流出口２３からは、第２流体のみが流出することになるので高温水が風呂に給湯される。一方、第２混合弁７Ｂについては、図７（ｄ）の状態のままであるので、第２流出口２４からは第２流体のみが流出する。
なお、上記図６〜図７は第１混合弁７Ａと第２混合弁７Ｂの代表的な回動位置における混合弁の動作の組合せを説明するもので、これらの他、例えば第１混合弁７Ａの開口７１ａが図４の上方を向く位置に回動されたときは、第１流路３１及び第３流路３３の双方に対して閉成され、第１流体及び第２流体の双方を閉止することができる。
【００２１】
上記のように、この実施の形態１は、第１混合弁７Ａと第２混合弁７Ｂの２個の混合弁をそれぞれの給湯回路及び給水回路を含めて一体化し、それらの配管径や曲がり数を全ての経路に対して共通化して、混合弁７への通水回路を対称的に形成して同一にするよう構成したものである。このため、第１流出口２３と第２流出口２４の何れについてもそれぞれの第１混合弁７Ａと第２混合弁７Ｂの回動に応じて第１流体（高温水）と第２流体（水道水）が任意の割合で混合された液体（水）を互いに独立して流出させることができる。このため、例えば給湯機貯湯槽を有し、沸きあげた温水を風呂場の蛇口とキッチンの蛇口等、複数箇所に同時給湯する給湯機において、温度制御の不安定性が解消され、リモコン等により外部から設定された所望温度の温水を安定して給湯することができる。また、簡便な配管構成で必要な部品類が一体化されているので、部品配置の設計自由度が向上すると共に、別途追加部品を用意する必要もなく、コストの上昇を抑制することができる。また、混合弁７は、開口７１ａの形状が周方向の端部にいくにつれて開口面積が略線形的に減少するように構成されていることで、弁体７１の回動角度に応じて、第１流体と第２流体の流入流量比を直線的に任意に変化させることができるものであるため、温度制御性に優れた湯水混合弁を得ることができる。
【００２２】
実施の形態２．
図８は、本発明の実施の形態２による混合弁装置を示す斜視図である。この実施の形態２においては、第１混合弁７Ａに対する第２混合弁７Ｂの取付方向を軸方向に対して正反対となるようにした外は実施の形態１に示した混合弁装置と全く同様に構成したものであり、同一もしくは同等の部材については図１〜図５と同一符号を付し、詳細な説明を省略する。なお、第２流出口２４も第１流出口２３とは反対側に設けられている。
上記実施の形態１の混合弁装置では、第１混合弁７Ａと第２混合弁７Ｂが同一の方向に取り付けられており、第１混合弁７Ａ及び第２混合弁７Ｂの何れについても図４の左側に第１流体の流入口が、右側に第２流体の流入口が存在する。この場合、例えば第１流体の流量を減少させるために、第１混合弁７Ａでは弁体７１を同図における反時計回りに回動させるのに対し、第２混合弁７Ｂでは、逆方向の時計回りに回動させる必要がある。すなわち、同じ構成の湯水混合弁を用いても、第１流体と第２流体の流量制御に対する弁体７１の回動方向が逆になる。
【００２３】
これに対し、上記のように構成された実施の形態２に係る混合弁装置では、上記実施の形態１と同様の各種効果に加えて、第１混合弁７Ａと第２混合弁７Ｂの挿入方向を逆に形成したので、第１流体と第２流体の流量制御に対する第１混合弁７Ａと第２混合弁７Ｂの回動方向を同一にすることができ、同じ流量制御特性を有する２個の湯水混合弁として扱うことができ、制御が簡易になるという更なる効果を有する。
【００２４】
なお、上記実施の形態１、２では、第１流路３１と第２流路３２が同一の中心軸上に形成され、第１流出路２３及び第２流出路２４が該中心軸に対して直交されかつ中心軸方向に位置をずらして設けた例を示したが、必ずしもこのような形状に限定されるものではなく、例えば第１流路３１と第２流路３２を結ぶ流路をＳ字状に形成し、第１流入口２１と第２流入口２２から第１弁座部５１と第２弁座部５２の入口までの距離が全て等しくなるように構成することもできる。また、仕切部材７を例えば円形状にして、その外周部に第１〜第４流路を設け、第１流入口２１と第２流入口２２に対して第１混合弁７Ａと第２混合弁７Ｂを完全に対称位置に設けるようにしてもよい。その他、駆動装置９のステッピングモータを他のアクチュエータに変更し、あるいは流入路を３つに分流して混合弁を３つ設ける等この発明の範囲内で各種の変形や変更が可能であることはいうまでもない。さらに、この発明を給湯機の湯水混合弁として用いた場合について説明したが、この発明の用途は特に湯水混合弁に限定されないことは当然である。
【００２５】
実施の形態３．
図９は本発明で開示した混合弁装置を備えた給湯機の概略回路構成を示す図である。図９で、給湯機は、水源圧力を所定の圧力に設定して給水するための減圧弁１００、混合弁装置１を構成する第１もしくは第２の混合弁のいずれかに接続され、リモコンにより浴槽への給湯指令が発せられた際に回路を開いて給湯し、給湯中止の指令が発せられた時に回路を閉じて給湯を中止する電磁弁１０１、貯湯タンク１０２、沸き上げ時に体積膨張した水を逃がして貯湯タンク内部の圧力を設定上限圧力以下に保持するための逃がし弁１０３、室外に設置された図示しない熱源機から送出される高温の冷媒（たとえばＣＯ２）とタンクの水とを熱交換させて、タンクの水を沸き上げるための熱交換器１０４、タンク内の水を循環させるためのポンプ１０５を備えている。
【００２６】
上記のとおり構成された給湯機では、実施の形態１ならびに実施の形態２で示した湯水混合弁装置を給湯温度調整に使用するため、沸きあげた温水を風呂場の蛇口とキッチンの蛇口等、複数箇所に同時給湯する場合においても、温度制御の不安定性が解消され、リモコン等により外部から設定された所望温度の温水を安定して給湯することができる。また、簡便な配管構成で必要な部品類が一体化されているので、部品配置の設計自由度が向上すると共に、別途追加部品を用意する必要もなく、コストの上昇を抑制することができる。
【００２７】
本実施の形態３で示した給湯機は、沸き上げ用の熱源としてＣＯ２をはじめとする自然冷媒の熱を熱交換器を介して熱交換するいわゆるヒートポンプ式給湯機を例にして示したが、図１０に示すようなタンク内に設置したヒータ１０６に通電し、ヒータの発熱を利用して沸き上げるヒータ式給湯機に適用できることは言うまでもない。
【図面の簡単な説明】
【００２８】
【図１】本発明の実施の形態１による混合弁装置を示す斜視図。
【図２】図１に示されたハウジング部材を示す斜視図。
【図３】図１に示された混合弁装置を構成する混合弁を示す斜視図。
【図４】図１に示された流入口の中心軸を含む面で図の水平方向に切断したときの図の下側から見た流路構成と弁座部及び混合弁の概要構造を示す断面図。
【図５】図４に示された弁座部と該弁座部に配設された混合弁の周辺部の詳細を示す断面図。
【図６】図１に示された混合弁装置の動作を説明する断面図。
【図７】図１に示された混合弁装置の動作を説明する断面図。
【図８】本発明の実施の形態２による混合弁装置を示す斜視図。
【図９】本発明の混合弁装置を用いた給湯機の回路構成を示す図である。
【図１０】本発明の混合弁装置を用いた別の給湯機の回路構成を示す図である。
【符号の説明】
【００２９】
１  混合弁装置、  ２  ハウジング部材、  ２１  第１流入口、  ２２  第２流入口、  ２３  第１流出口、  ２４  第２流出口、  ２５、２６  接続部、  ３Ａ  第１流入路、  ３Ｂ  第２流入路、  ３１  第１流路、  ３２  第２流路、  ３３  第３流路、  ３４  第４流路、  ４  仕切部材、  ４１  第１分岐部、  ４２  第２分岐部、  ５１  第１弁座部、  ５２  第２弁座部、  ６Ａ  第１流出路、  ６Ｂ  第２流出路、  ７  混合弁、  ７Ａ  第１混合弁、  ７Ｂ  第２混合弁、  ７１  弁体、  ７１ａ  開口、  ７１ｂ  流出口、  ７２  軸部、  ８１  スペーサ、  ８６、８７  潤滑部材、  ９  駆動装置、  １００  減圧弁、  １０１  電磁弁、  １０２  貯湯タンク、  １０３  逃がし弁、  １０４  熱交換器、  １０５  ポンプ、  １０６  ヒータ。
【図１】
0004814199.tif 000002
【図２】
0004814199.tif 000003
【図３】
0004814199.tif 000004
【図４】
0004814199.tif 000005
【図５】
0004814199.tif 000006
【図６】
0004814199.tif 000007
【図７】
0004814199.tif 000008
【図８】
0004814199.tif 000009
【図９】
0004814199.tif 000010
【図１０】
0004814199.tif 000011